【事件の表示】
　特願２０１５−　６２６７１「管理装置、管理方法とそのプログラム、および、情報処理システム」拒絶査定不服審判事件〔平成２８年１０月２０日出願公開、特開２０１６−１８４１８８〕について、次のとおり審決する。
【結　論】
　本件審判の請求は、成り立たない。
【理　由】
第１　手続の経緯
　本願は，平成２７年３月２５日の出願であって，平成３０年１２月２７日付けで拒絶の理由が通知され，平成３１年３月４日に意見書とともに手続補正書が提出され，令和１年７月３０日付けで拒絶査定（謄本送達日同年８月６日）がなされ，これに対して同年１１月６日に拒絶査定不服審判の請求がなされるとともに，同日付けで手続補正がなされたものである。
第２　令和１年１１月６日にされた手続補正についての補正の却下の決定
［補正の却下の決定の結論］
　令和１年１１月６日にされた手続補正（以下「本件補正」という。）を却下する。
［理由］
１　本件補正について（補正の内容）
（１）本件補正後の特許請求の範囲の記載
　本件補正により，特許請求の範囲の請求項４の記載は，次のとおり補正された。（下線部は，補正箇所である。）
「コンピュータが、
　仮想マシンサーバの仮想マシンへの操作の実行前に、前記仮想マシンが当該操作による実行に利用する利用データを保存する共有ディスク装置から前記仮想マシンの操作対象先となる他の仮想マシンサーバのディスクキャッシュ部に前記利用データを移し、
　前記共有ディスク装置に保持される前記利用データのうち、前記ディスクキャッシュ部に移動する前記利用データを、前記仮想マシンから前記共有ディスク装置へのディスクアクセス要求の統計情報
に基づく一定のアクセス頻度
管理方法。」
（２）本件補正前の特許請求の範囲
　本件補正前の，平成３１年３月４日にされた手続補正により補正された特許請求の範囲の請求項７の記載は次のとおりである。
「コンピュータが、
　仮想マシンサーバの仮想マシンへの操作の実行前に、前記仮想マシンが当該操作による実行に利用する利用データを保存する共有ディスク装置から前記仮想マシンの操作対象先となる他の仮想マシンサーバのディスクキャッシュ部に前記利用データを移し、
　前記共有ディスク装置に保持される前記利用データのうち、前記ディスクキャッシュ部に移動する前記利用データを、前記仮想マシンから前記共有ディスク装置へのディスクアクセス要求の統計情報又は履歴情報を用いて決定する、
管理方法。」
２　補正の適否
　本件補正は，本件補正前の請求項７に記載された発明を特定するために必要な事項である「統計情報又は履歴情報を用いて決定する」との記載を，「統計情報に基づく一定のアクセス頻度を用いて決定する」との記載に補正するものである。そして，上記の補正は，選択肢で表現されている「統計情報又は履歴情報」における選択肢の一部である「履歴情報」を削除するとともに，「統計情報」を「用いる」ことについて上記のとおり限定を付加するものであって，補正前の請求項７に記載された発明と補正後の請求項４に記載される発明の産業上の利用分野及び解決しようとする課題が同一であるから，特許法１７条の２第５項２号の特許請求の範囲の減縮を目的とするものに該当する。
　そこで，本件補正後の請求項４に記載される発明（以下「本件補正発明」という。）が同条第５項において準用する同法第１２６条第７項の規定に適合するか（特許出願の際独立して特許を受けることができるものであるか）について，以下，検討する。
（１）本件補正発明
　本件補正発明は，上記「１　本件補正について（補正の内容）」の「（１）本件補正後の特許請求の範囲の記載」に記載したとおりのものである。
（２）引用文献等の記載事項
ア　引用文献１
（ア）原査定の拒絶の理由で引用され，本願出願前に頒布された又は電気通信回線を通じて公衆に利用可能となった引用文献である，国際公開第２０１４／０３６３０７号（２０１４年３月６日国際公開。以下，「引用文献１」という。）には，関連する図面とともに，次の記載がある。
　なお，特表２０１５−５３５３５５号公報を翻訳文として採用し，対応する部分を併記する。
（当審注：下線は，参考のために当審で付与したものである。）
Ａ「[0001] The disclosure relates to systems and methods for adaptive persistence and, in several embodiments, to systems and 
methods for managing data
（【０００１】
　本開示は、適応持続性システム及び方法に関し、幾つかの実施形態では、エフェメラルキャッシュモードでキャッシュされた
データを管理する
方法
Ｂ「[0072] Fig. 2A is a block diagram of one embodiment of a CMS 220 in a virtualized computing environment. The CMS 220 may be configured to operate within a virtual machine 208A-N, which may operate within and/or in conjunction with a virtualization kernel 210. 
The virtualization kernel
may be configured to manage the operation of the virtual machines
operating on the host
as well as
services provided by the host
（【００５５】
　図２Ａは、仮想計算環境でのＣＭＳ２２０の一実施形態のブロック図である。ＣＭＳ２２０は、仮想化カーネル２１０内で、且つ／又は仮想化カーネル２１０と併せて動作し得る仮想マシン２０８Ａ〜Ｎ内で動作するように構成し得る。
仮想化カーネル
は、ホスト
で動作する仮想マシン
並びにホスト
によって提供される
サービスの動作を管理するように構成し得る
Ｃ「[0111] As described above, data of the retained cache tags 221 may be transferred to the new host from the previous host (and/or from primary storage resources 240B-N, or other source). The cache data may be transferred via a demand paging model, which may comprise populating the cache on demand, as the cache data of various retained cache tags 221 is requested by the virtual machine 208. Alternatively, or in addition, 
cache data may be prefetched and/or transferred in a bulk transfer operation
（【００９４】
　上述したように、保持キャッシュタグ２２１のデータは、前のホスト（及び／又は前のプライマリストレージリソース２４０Ｂ〜Ｎ又は他のソース）から新しいホストに転送し得る。キャッシュデータは、デマンドページングモデルを介して転送し得、これは、様々な保持キャッシュタグ２２１のキャッシュデータが仮想マシン２０８によって要求される際、キャッシュに「オンデマンド」で移入することを含み得る。代替又は追加として、
キャッシュデータは、「バルク転送」動作でプリフェッチし、且つ／又は転送し得
Ｄ「[0147] Fig. 9 is a block diagram of another embodiment of a virtual computing environment 900. 
The virtual computing environment
includes multiple hosts
, each of which may comprise a virtualization kernel
and one or more virtual machines
Each host
may
comprise a respective virtual machine cache 
[0148] 
The virtualized environment
may comprise a primary storage system
, which may be shared among the hosts
and/or the virtual machines
The primary storage system
may comprise any suitable persistent storage device and/or storage system, including
magnetic disks
（【０１３０】
　図９は、仮想計算環境９００の別の実施形態のブロック図である。
仮想計算環境
は複数のホスト
を含み、各ホストは、仮想化カーネル
と、１つ又は複数の仮想マシンとを備え得る
各ホスト
は、
各仮想マシンキャッシュ
を
備え得る
【０１３１】
　
仮想化環境
は、ホスト
及び／又は仮想マシン
の間で共有し得るプライマリストレージシステム
を含み得る
プライマリストレージシステム
は、
磁気ディスク
を含む
任意の適する永続的なストレージ装置及び／又はストレージシステムを含み得る
Ｅ「[0150] In some embodiments, one or more of the virtual machines 208A-N may be capable of being relocated and/or transferred between the hosts 202A-N. For example, 
a virtual machine 208X may be migrated from the host 202A to the host 202B
（【０１３３】
　幾つかの実施形態では、仮想マシン２０８Ａ〜Ｎのうちの１つ又は複数は、ホスト２０２Ａ〜Ｎ間で配置替えし、且つ／又は転送することが可能であり得る。例えば、
仮想マシン２０８Ｘは、ホスト２０２Ａからホスト２０２Ｂに移行し得る
Ｆ「[0154] The CMS 220 of the virtual machine 208X may be configured to retain the working state of the cache (the cache tags 221) despite the fact that the cache 216B does not comprise the cache data to which the cache tags 221 refer. As disclosed below, 
the virtual machine cache
may be configured to populate the cache 216B with cache data transferred from
the primary storage system
, to reconstruct the working set of the transferred virtual machine 208X
[0155] 
The virtual machine cache
may comprise a cache transfer module
（【０１３７】
　仮想マシン２０８ＸのＣＭＳ２２０は、キャッシュタグ２２１が参照するキャッシュデータをキャッシュ２１６Ｂが含まないにもかかわらず、キャッシュの作業状態（キャッシュタグ２２１）を保持するように構成し得る。後述するように、
仮想マシンキャッシュ
は、
プライマリストレージシステム
から転送されたキャッシュデータをキャッシュ２１６Ｂに移入し、転送された仮想マシン２０８Ｘの作業セットを再構築するように構成し得る
【０１３８】
　
仮想マシンキャッシュ
はキャッシュ転送モジュール
を備え得
る
Ｇ「[0157] 
The cache transfer module
may be configured to transfer the cache data by
demand paging transfers,
or bulk transfers
A demand paging transfer may comprise transferring cache data in response to I/O requests
for the cache data from the virtual machine 208X
The transferred data may be used to service the I/O requests
the transferred data may be admitted into the cache 216B of the new host 202B
[0158] A prefetch transfer may comprise transferring data according to a prefetch cache policy (e.g., by proximity or the like) and/or persistence level of the cache data. 
The amount and/or extent of cache data to prefetch may be determined by
cache metadata
(e.g., cache aging metadata, hotness, and so on)
[0159] 
A bulk transfer may comprise transferring cache data in bulk, independent of storage requests from the virtual machine 208X
a bulk transfer may comprise populating a subset of the cache, which
may be selected based upon cache metadata
（【０１４０】
　
キャッシュ転送モジュール
は、
デマンドページング転送、
又はバルク転送によってキャッシュデータを転送するように構成し得る
デマンドページング転送は、仮想マシン２０８ＸからのキャッシュデータへのＩ／Ｏ要求
に応答して
キャッシュデータを転送することを含み得る
転送されたデータは、Ｉ／Ｏ要求
に応えるために使用し得る
転送されたデータは、新しいホスト２０２Ｂのキャッシュ２１６Ｂに許容し得る
【０１４１】
  プリフェッチ転送は、プリフェッチキャッシュポリシー（例えば、近接性等による）及び／又はキャッシュデータの持続性レベルに従ってデータを転送することを含み得る。
プリフェッチするキャッシュデータの量及び／又は範囲は、
キャッシュメタデータ（例えば、キャッシュ老化メタデータ、「ホット性」等）によって決定し得る
【０１４２】
　
バルク転送は、仮想マシン２０８Ｘからのストレージ要求から独立して、キャッシュデータをバルクで転送することを含み得る
バルク転送は、キャッシュのサブセットに移入することを含み得、サブセットは、
キャッシュメタデータに基づいて選択し得る
（イ）上記記載から，引用文献１には，次の発明（以下「引用発明」という。）が記載されていると認められる。
「データを管理する方法であって，
　仮想化カーネルは，ホストで動作する仮想マシン並びにホストによって提供されるサービスの動作を管理するように構成し得るものであり，キャッシュデータは，「バルク転送」動作でプリフェッチし、且つ／又は転送し得るものであり，
　仮想計算環境は複数のホストを含み，各ホストは，仮想化カーネルと，１つ又は複数の仮想マシンとを備え得るものであり，各ホストは，各仮想マシンキャッシュを備え得るものであり，仮想化環境は，ホスト及び／又は仮想マシンの間で共有し得るプライマリストレージシステムを含み得るものであり，プライマリストレージシステムは，磁気ディスクを含む任意の適する永続的なストレージ装置及び／又はストレージシステムを含み得るものであり，仮想マシン２０８Ｘは，ホスト２０２Ａからホスト２０２Ｂに移行し得るものであり，仮想マシンキャッシュは，プライマリストレージシステムから転送されたキャッシュデータをキャッシュ２１６Ｂに移入し，転送された仮想マシン２０８Ｘの作業セットを再構築するように構成し得るものであり，仮想マシンキャッシュはキャッシュ転送モジュールを備え得るものであり，キャッシュ転送モジュールは，デマンドページング転送，又はバルク転送によってキャッシュデータを転送するように構成し得るものであり，デマンドページング転送は，仮想マシン２０８ＸからのキャッシュデータへのＩ／Ｏ要求に応答してキャッシュデータを転送することを含み得るものであり，転送されたデータは、Ｉ／Ｏ要求に応えるために使用し得るものであり，転送されたデータは，新しいホスト２０２Ｂのキャッシュ２１６Ｂに許容し得るものであり，プリフェッチするキャッシュデータの量及び／又は範囲は，キャッシュメタデータ（例えば，キャッシュ老化メタデータ，「ホット性」等）によって決定し得るものであり，バルク転送は，仮想マシン２０８Ｘからのストレージ要求から独立して，キャッシュデータをバルクで転送することを含み得るものであり，バルク転送は，キャッシュのサブセットに移入することを含み得，サブセットは，キャッシュメタデータに基づいて選択し得るものである，
データを管理する方法。」
イ　引用文献２
（ア）原査定の拒絶の理由で引用され，本願の出願日前に頒布された又は電気通信回線を通じて公衆に利用可能となった引用文献である，特開２０１４−５２７２５号公報（平成２６年　３月２０日出願公開。以下，「引用文献２」という。）には，関連する図面とともに，次の記載がある。（下線は，当審で付した。）
Ｈ「【００１８】
　次に、
仮想マシンの移動の必要があると
必要メモリデータを特定し、移動先に
移動
する
その後
仮想マシン
を移動先に
移動
する
（イ）上記記載から，引用文献２には，次の技術が記載されていると認められる。
「仮想マシンの移動の必要があると，必要メモリデータを特定し，移動先に移動し，その後，仮想マシンを移動先に移動する」技術。
ウ　参考文献
（ア）本願出願日前に頒布された又は電気通信回線を通じて公衆に利用可能となった引用文献である，特表２００７−５３７５４８号公報（平成１９年１２月２０日公表。以下，「参考文献」という。）には，関連する図面とともに，次の記載がある。
Ｊ「【０００１】
　本発明の実施の形態は、データをキャッシュすることに関する。より詳細には、
本発明の実施の形態は、
代替キャッシュ方式
を
提供することに関する
Ｋ「【００１１】
　図１に示すように、クライアント１１２、１１４、１１８等のコンピュータで実行されているアプリケーションは、ＳＡＮ１９０を介して、ストレージデバイス１６０、１７０へ、及び／又はストレージデバイス１６０、１７０からデータを通信する。クライアント１１２、１１４、１１８に関連付けられたデータ１１３、１１５、１１６は、ストレージデバイス１６０、１７０に記憶することができ、その結果、データ１６４、１７４になる。さらに、記憶されたデータ１６４、１７４は、１次キャッシュ１６２、１７２にそれぞれキャッシュすることもできる。
ストレージデバイス
は、
独立ディスク冗長アレイ
とすることができる。
Ｌ「【００２３】
　データ部分Ｂ等の特定の
データ部分
が、ストレージデバイス
から補助キャッシュ資源
へ移動され
Ｍ「【００３３】
　［メタデータ］
　一般に、メタデータは、たとえば、データが記憶されている場所のデータ、及び、データがどのようにアクセスされるかのデータを記述するデータである。ＣＭＭ２２２の機能に関連付けられたメタデータ２３４、２４４は、一実施の形態によれば、データ１６４、１７４のどの部分が補助キャッシュ資源２５０へ移動されたかを記述し、仮想化機器２２０が、ストレージデバイス１６０、１７０又は補助キャッシュ資源２５０のいずれかの適切なロケーションからのデータにアクセスすることを可能にする。また、ＣＭＭ２２２の機能に関連付けられたメタデータ２３４、２４４は、別の実施の形態によれば、データ部分２６０に関連付けられた統計値も記述する。たとえば、この場合、
メタデータ
は、
データ部分
へのアクセス回数がしきい値に達したかどうかを判断するのに使用することができる
Ｎ「【００５２】
　この例のＳＰＣ−１ベンチマークワークロードは、有効にされたＬＵＮについて定数１２００Ｉ／Ｏ４１０になるように構成されている。ＣＭＭ２２２は、ワークロードが実行されている最初のおよそ１２００秒４０２の間、有効にされない。したがって、ＣＭＭ２２２は、最初の１２００秒４０２の期間中、データ部分２６０に対する初期ディスクＩ／Ｏの統計値を収集していない。最初のおよそ１２００秒４０２の後、ＣＭＭ２２２は有効にされ、
データ部分
がどれくらいの頻度でアクセスされるかに関する統計値
統計値は、メタデータ
に記憶することができる。
【００５３】
　ステップ２９２において、ストレージデバイスに関連付けられたデータ部分へのアクセス回数が、一実施の形態によれば、１回のアクセスよりも大きなしきい値を超える。データ部分２６０がアクセスされると、ＣＭＭ２２２は、データ部分２６０が一定のしきい値を超えてアクセスされたと判断する。図３のこの動作例を示す目的で、しきい値は、１６回のアクセスの静的なしきい値であり、データ部分２６０のサイズは、１２８キロバイトである。
【００５４】
　ステップ２９４において、データ部分のコピーが、別の実施の形態によれば、ストレージデバイスの補助キャッシュを提供する補助キャッシュ資源に関連付けられる。たとえば、
しきい値よりも多くアクセスされたデータ部分
の補助キャッシュ資源
への移動が開始され
【００５５】
　ステップ２９６において、補助キャッシュ資源のデータ部分のコピーが、さらに別の実施の形態によれば、その後の要求について、ストレージデバイスのデータ部分の代わりにアクセスされる。データ部分のコピー２７０が、補助キャッシュ資源２５０に関連付けられると、データ部分のコピー２７０は、データ部分２６０の代わりにアクセスされ、その結果、ディスクＩ／Ｏは削減する（４０４）。総ディスクＩ／Ｏ４０８は、削減されたディスクＩ／Ｏ４０４に移動Ｉ／Ｏ４０６を加えた総数である。」
（イ）上記記載から，参考文献には，次の周知技術が記載されていると認められる。
「データ部分へのアクセス頻度に関する統計情報に基づいて，しきい値よりも多くアクセスされたデータ部分の補助キャッシュ資源への移動を行う，技術」
（３）引用発明との対比
ア　本件補正発明と引用発明とを対比する。
（ア）引用発明は「データを管理する方法」であるから，本件補正発明と引用発明とは，“管理方法”である点で一致している。
（イ）引用発明の「仮想マシン」は，本件補正発明の「仮想マシン」に相当する。また，引用発明の「ホスト」は，「仮想マシン」を動作させるものであるとともに，「サービス」の提供を行うものであるから，本件補正発明の「仮想マシンサーバ」に相当する。そして，引用発明は，「仮想マシン２０８Ｘは，ホスト２０２Ａからホスト２０２Ｂに移行し得る」ものであるところ，当該「移行」は，ホストが備える仮想マシンへの操作の一種であると認められるから，引用発明は，ホスト２０２Ａの仮想マシンＸへの操作を実行するものであるといえる。
　してみると，引用発明の「データを管理する方法」と本件補正発明の「管理方法」とは，“仮想マシンサーバの仮想マシンへの操作を実行する”ものである点で一致する。
（ウ）引用発明の「プライマリストレージシステム」は，「ディスク」「を含み得る」とともに，「ホスト及び／又は仮想マシンの間で共有し得る」ものであるから，本件補正発明の「共有ディスク装置」に相当する。
　また，引用発明は，「プライマリストレージシステムから転送されたキャッシュデータをキャッシュ２１６Ｂに移入」するものであるところ，「キャッシュ２１６Ｂ」は「新しいホスト２０２Ｂ」が備えるものであり，引用発明の「キャッシュ２１６Ｂ」は，仮想マシン２０８Ｘの移行対象先となるホスト２０２Ｂのディスクキャッシュであるといえるから，上記(イ)の検討内容も踏まえると，引用発明の「仮想マシン２０８Ｘ」の「移行」対象先となる「ホスト２０２Ｂ」の「キャッシュ２１６Ｂ」は，本件補正発明の「仮想マシンの操作対象先となる他の仮想マシンサーバのディスクキャッシュ部」に相当する。
（エ）引用発明において，「キャッシュ２１６Ｂに許容し得る」「転送されたデータ」は，「Ｉ／Ｏ要求１１６に応えるために使用し得る」ものであるから，引用発明の「プライマリストレージシステムから転送されたキャッシュデータ」は，仮想マシン２０８Ｘが，その実行に利用する利用データであるといえる。また，仮想マシン２０８Ｘが利用する「キャッシュデータ」は，「プライマリストレージシステム」から転送されるのであるから，仮想マシン２０８Ｘは，「プライマリストレージシステム」に保存されている所定のデータを，利用データとして利用するものであるといえる。そして，引用発明は，「キャッシュデータをキャッシュ２１６Ｂに移入し，転送された仮想マシン２０８Ｘの作業セットを再構築するように構成し得る」ものであるところ，仮想マシン２０８Ｘの転送は，仮想マシン２０８Ｘをホスト２２Ａからホスト２０２Ｂに移行させる操作によって為されるものであると認められるから，引用発明は，仮想マシン２０８Ｘが移行のための操作による転送先であるホスト２０２Ｂでの実行に利用するキャッシュデータを保存するプライマリストレージシステム２４２から，キャッシュ２１６Ｂに，前記キャッシュデータを移入するものであるといえる。
　してみると，上記(ウ)の検討内容も踏まえると，引用発明の「データを管理する方法」と本件補正発明の「管理方法」とは，後記する点で相違するものの，“前記仮想マシンが当該操作による実行に利用する利用データを保存する共有ディスク装置から前記仮想マシンの操作対象先となる他の仮想マシンサーバのディスクキャッシュ部に利用データを移す”ものである点で一致している。
（オ）引用発明は，「バルク転送によってキャッシュデータを転送するよう構成し得るものであり」，「転送されたデータは」「キャッシュ２１６Ｂに許容し得るものであり」，「キャッシュデータは，「バルク転送」動作でプリフェッチし」「得るものであり」，「プリフェッチするキャッシュデータの」「範囲は，キャッシュメタデータ（例えば，キャッシュ老化メタデータ，「ホット性」等）によって決定し得るものであ」るから，引用発明は，キャッシュ２１６Ｂにバルク転送されるキャッシュデータが，キャッシュメタデータによって決定し得るものであるといえる。また，引用発明の「キャッシュメタデータ」と，本件補正発明の「ディスクアクセス要求の統計情報に基づく一定のアクセス頻度」とは，前者が「プリフェッチするキャッシュデータの量及び／又は範囲」の「決定」に用いるものであり，後者が「ディスクキャッシュ部に移動する」「データ」の「決定」に用いるものであることを踏まえると，キャッシュされるデータを決定するために用いられる“情報”である点で一致する。
　してみると，上記(エ)の検討内容も踏まえると，本件補正発明と引用発明とは，後記する点で相違するものの，“前記共有ディスク装置に保持される前記利用データのうち，前記ディスクキャッシュ部に移動する前記利用データを，情報を用いて決定する”点で一致する。
（カ）上記(イ)，(エ)，(オ)の検討内容を踏まえると，引用発明の「データを管理する方法」における各動作を，コンピュータが実行するものであることは明らかであるから，引用発明の「データを管理する方法」と，本件補正発明の「管理方法」とは，“コンピュータが”実行するものである点で一致する。
イ　以上のことから，本件補正発明と引用発明との一致点及び相違点は，次のとおりである。
　【一致点】
コンピュータが，
　仮想マシンサーバの仮想マシンへの操作を実行し，前記仮想マシンが当該操作による実行に利用する利用データを保存する共有ディスク装置から前記仮想マシンの操作対象先となる他の仮想マシンサーバのディスクキャッシュ部に前記利用データを移し，
　前記共有ディスク装置に保持される前記利用データのうち，前記ディスクキャッシュ部に移動する前記利用データを，情報を用いて決定する，
管理方法。
　【相違点１】
　本件補正発明は，「仮想マシンサーバの仮想マシンへの操作の実行前に」「利用データを移し」ているのに対し，引用発明は，キャッシュデータを移入することを，仮想マシンを移行することの「実行前」に行うことについて特定されていない点。
　【相違点２】
　本件補正発明は，「前記ディスクキャッシュ部に移動する前記利用データを，前記仮想マシンから前記共有ディスク装置へのディスクアクセス要求の統計情報に基づく一定のアクセス頻度を用いて決定する」のに対し，引用発明は，キャッシュ２１６Ｂに転送されるキャッシュデータの範囲の決定に，「仮想マシンから共有ディスク装置へのディスクアクセス要求の統計情報に基づく一定のアクセス頻度」を用いることについて特定されていない点。
（４）判断
　以下，相違点について検討する。
ア　相違点１について
　引用文献２には，上記「（２）引用文献の記載事項」「イ　引用文献２」「（イ）」のとおり，「仮想マシンの移動の必要があると，必要メモリデータを特定し，移動先に移動し，その後，仮想マシンを移動先に移動する」技術が記載されている。
　引用発明と，引用文献２に記載された技術的事項とは，どちらも，仮想マシンが移動先で必要とするデータを仮想マシンの移動先に移動させるものである点で技術的に共通するから，引用発明においても，仮想マシン及びキャッシュデータを移す順序として，引用文献２に記載された技術的事項を採用し，仮想マシンを移行することの実行前に，キャッシュデータを移入する構成とすること，すなわち上記相違点１に係る構成とすることは，当業者が容易に想到し得たことである。
イ　相違点２について
　参考文献には，上記「（２）引用文献の記載事項」「ウ　参考文献」「（イ）」のとおり，「データ部分へのアクセス頻度に関する統計情報に基づいて，しきい値よりも多くアクセスされたデータ部分の補助キャッシュ資源への移動を行う，技術」，という周知の技術が記載されている。
　ここで，参考文献に記載された周知の技術では，「しきい値よりも多くアクセスされたデータ部分の補助キャッシュ資源への移動を行う」のであって，統計情報を「しきい値」を用いて判断しており，ここでの「しきい値」としては，データ部分がどれくらいの頻度でアクセスされているべきであるかを示す一定のアクセス頻度に対応する値が用いられているといえる。してみると，上記周知の技術は，アクセス要求の統計情報に基づく一定のアクセス頻度に対応するしきい値を用いて，補助キャッシュ装置へ移動するデータ部分を判断するものであるといえる。
　引用発明と，参考文献に記載された上記周知の技術とは，どちらも，キャッシュに移動させるデータを，なんらかの情報に基づいて決定するものである点で技術的に共通するから，引用発明において，キャッシュ２１６Ｂに転送されるキャッシュデータの範囲を決定するための方式として，参考文献に記載された周知の技術を採用し，仮想マシン２０８Ｘからプライマリストレージシステムへのディスクアクセス要求の統計情報に基づく一定のアクセス頻度を用いる構成とすること，すなわち上記相違点２に係る構成とすることは，当業者が容易に想到し得たことである。
ウ　そして，これらの相違点を総合的に勘案しても，本件補正発明の奏する作用効果は，引用発明，引用文献２に記載された技術的事項及び参考文献に記載された周知技術の奏する作用効果から予測される範囲内のものにすぎず，格別顕著なものということはできない。
エ　したがって，本件補正発明は，引用発明，引用文献２に記載された技術的事項及び参考文献に記載された周知技術に基づいて，当業者が容易に発明をすることができたものであり，特許法２９条２項の規定により，特許出願の際独立して特許を受けることができないものである。
３　本件補正についてのむすび
よって，本件補正は，特許法１７条の２第６項において準用する同法１２６条７項の規定に違反するので，同法１５９条１項の規定において読み替えて準用する同法５３条１項の規定により却下すべきものである。
よって，上記補正の却下の決定の結論のとおり決定する。
第３　本願発明について
１　本願発明
　令和１年１１月６日にされた手続補正は，上記のとおり却下されたので，本願の請求項に係る発明は，平成３１年３月４日にされた手続補正により補正された特許請求の範囲の請求項１ないし９に記載された事項により特定されるものであるところ，その請求項７に係る発明（以下「本願発明」という。）は，その請求項７に記載された事項により特定される，前記第２　１（２）に記載のとおりのものである。
２　原査定の拒絶の理由
　原査定の拒絶の理由は，この出願の請求項１，６−７に係る発明は，本願出願前に頒布された又は電気通信回線を通じて公衆に利用可能となった下記の引用文献１に記載された発明及び引用文献２に記載された事項に基づいて，その出願前にその発明の属する技術の分野における通常の知識を有する者が容易に発明をすることができたものであるから，特許法２９条２項の規定により特許を受けることができない，というものである。
引用文献１：国際公開第２０１４／０３６３０７号
引用文献２：特開２０１４−５２７２５号公報
３　引用文献
　原査定の拒絶の理由で引用された引用文献１ないし２及びその記載事項は，前記第２　２（２）に記載したとおりの事項が記載されている。
４　対比・判断
（１）本願発明
　本願発明は，前記第２　１（１）で検討した本件補正発明から，補正事項に対応する限定事項を省いたものである。
（２）引用発明との対比・判断
　そうすると，本願発明の構成要件をすべて含み，さらに他の構成要件を付加したものに相当する本件補正発明が，上記第２　２（４）に記載したとおり，引用文献１に記載された発明，引用文献２に記載された技術的事項及び参考文献に記載された周知技術に基いて，当業者が容易に発明をすることができたものであるから，本願発明も，同様の理由により，引用文献１に記載された発明及び引用文献２に記載された技術的事項に基いて，当業者が容易に発明をすることができたものである。
　そして，本願発明の構成により奏する効果も，引用文献１に記載された発明及び引用文献２に記載された技術的事項から当然予測される範囲内のもので，格別顕著なものとは認められない。
第４　むすび
　以上のとおり，本願発明は，特許法２９条２項の規定により特許を受けることができないから，他の請求項に係る発明について検討するまでもなく，本願は拒絶されるべきものである。
　よって，結論のとおり審決する。